(57)【要約】【課題】  隣接する髪束を順次とって当該髪束に対する逐次処理を行う際に、髪束の重ね取りや取り残しを防止し得るヘアクリップの提供。【解決手段】  髪を頭部の一定の箇所に保つヘアクリップであって、  各々の摘み部に対する加圧・緩圧操作を以って各々の作用部が閉じる方向へ付勢されて開閉可能となる様に連結された挟持ブレード１及び方形状のヘアプレート２を備え、前記ヘアプレート２は、髪を載せる表面に梨地処理が施され、且つ上部が上縁に沿って膨出した板状を呈し、前記挟持ブレードは、当該ヘアプレート２における上部の裏面に前記膨出部に沿って配置されたヘアクリップ。【選択図】      図３
2006288493.tif 000002
【特許請求の範囲】
【請求項１】
髪を頭部の一定の箇所に保つヘアクリップであって、
各々の摘み部に対する加圧・緩圧操作を以って各々の作用部が閉じる方向へ付勢されて開閉可能となる様に連結された挟持ブレード（１）及び方形状のヘアプレート（２）を備え、
前記ヘアプレート（２）は、髪を載せる表面に梨地処理が施され、且つ上部が上縁に沿って膨出した板状を呈し、前記挟持ブレードは、当該ヘアプレート（２）における上部の裏面に前記膨出部に沿って配置されたヘアクリップ。
【請求項２】
髪を頭部の一定の箇所に保つヘアクリップであって、
各々の摘み部に対する加圧・緩圧操作を以って各々の作用部が閉じる方向へ付勢されて開閉可能となる様に連結された挟持ブレード（１）及び方形状のヘアプレート（２）を備え、
前記ヘアプレート（２）は、髪を載せる表面に梨地処理が施され、且つその中央部が上縁に沿って凹んだ板状を呈し、前記挟持ブレード（１）は、当該ヘアプレート（２）における上部の裏面にその上縁に沿って配置されたヘアクリップ。
【請求項３】
表面に梨地処理が施され、且つ上部が上縁に沿って膨出した方形状のプレートであって、
各々の摘み部（２１，２０）に対する加圧・緩圧操作を以って各々の作用部が閉じる方向へ付勢されて開閉可能となる様に連結された挟持ブレード（１９）及びヘアブレード（３）を備えたヘアクリップ（６）を、そのヘアブレード（３）の挿入により一体的に保持する連結部（４）を備えたヘアプレート。
【請求項４】
表面に梨地処理が施され、且つ中央部が上縁に沿って凹んだ方形状のプレートであって、
各々の摘み部（２１，２０）に対する加圧・緩圧操作を以って各々の作用部が閉じる方向へ付勢されて開閉可能となる様に連結された挟持ブレード（１９）及びヘアブレード（３）を備えたヘアクリップ（６）を、そのヘアブレード（３）の挿入により一体的に保持する連結部（４）を備えたヘアプレート。
【請求項５】
前記請求項３又は請求項４に記載のヘアプレート（５）に、
各々の摘み部（２１，２０）に対する加圧・緩圧操作を以って各々の作用部が閉じる方向へ付勢されて開閉可能となる様に連結された挟持ブレード（１９）及びヘアブレード（３）を備えたヘアクリップ（６）を、前記連結部（４）にそのヘアブレード（３）を装填することを以って一体的に連結してなるヘアプレート。
【請求項６】
前記挟持ブレードが、前記ヘアプレートにおける上縁より約３ｍｍから当該ヘアプレートの幅の約１／３程度下の裏面に配置された前記請求項１、２、又は５のいずれかに記載のヘアクリップ。
【発明の詳細な説明】
【技術分野】
【０００１】
本発明は、髪のスタイリング時に、髪を頭部の一定の箇所に保つ為に使用されるヘアクリップに関する。
【背景技術】
【０００２】
ヘアクリップ（例えば、下記特許文献１乃至３参照）は、従来より、髪をカットする際は元より様々なスタイリング作業を行う際に使用されるが、今日では、例えば、ヘアアイロン（例えば、下記特許文献４乃至６参照）で髪をカールする際、或いは、髪をストレートに伸ばす際に、処理前後の髪を処理中の髪束と分離すべく、頭部の一定の箇所に束ねたり、固定する道具として用いられる。
【０００３】
【特許文献１】特開２００３−２０４８１８号公報
【特許文献２】特開平６−３０８１４号公報
【特許文献３】特表２００２−５３２１７６号公報
【特許文献４】特開２００３−９３１３２号公報
【特許文献５】特開２００２−６５３３５号公報
【特許文献６】特開２００２−５１８２５号公報
【発明の開示】
【発明が解決しようとする課題】
【０００４】
しかしながら、従来のヘアクリップは、髪を平たく束ねるだけの機能が与えられているのみなので、髪に装着されたヘアクリップの上へ更に髪が重なった場合は、それらの髪をきちんと分別することは容易ではない。殊に、ヘアアイロン等を用いて髪に何らかの変形を加える際には、逐次適量の髪束をとり、それらの髪の状況に応じたアイロン操作を適当な時間をかけて行う必要がある。従って、近隣の毛髪が隣接する髪束として何度も髪束としてとられ、重ねて処理が行われたり、隣接する髪束の境目に髪束として取られない毛髪が遣り残しとして残ったりすることは、ヘアスタイリング上不具合が生じ、所要時間の冗長化と言う点でも好ましくない。
【０００５】
本発明は、上記実情に鑑みて為されたものであって、隣接する髪束を順次とって当該髪束に対する逐次処理を行う際に、髪束の重ね取りや取り残しを防止し得るヘアクリップの提供を目的とする。
【課題を解決するための手段】
【０００６】
上記課題を解決する為に為された本発明によるヘアクリップは、各々の摘み部に対する加圧・緩圧操作を以って各々の作用部が閉じる方向へ付勢されて開閉可能となる様に連結された方形状のヘアプレートを備え、前記ヘアプレートは、例えば、当該ヘアクリップに挟まれた髪束より上位に存在する髪が載る表面に梨地処理が施され、且つ上部が上縁に沿って膨出した板状、又はその中央部が上縁に沿って凹んだ板状を呈し、前記挟持ブレードは、当該ヘアプレートにおける上部の裏面に前記膨出部又は上縁に沿って配置されたことを特徴とする。尚、前記作用部とは、当該ヘアクリップを構成するヘアプレート及び挟持ブレードのうちの髪を挟持する領域を指す。
【０００７】
また、上記の如くヘアプレートと挟持ブレードとが一体である構成の他、ヘアプレートと挟持ブレードとが元々別体であって、例えば、比較的細身の一般的なヘアクリップであって、各々の摘み部に対する加圧・緩圧操作を以って各々の作用部が閉じる方向へ付勢されて開閉可能となる様に連結された挟持ブレード及びヘアブレードを備えたヘアクリップを、そのヘアブレードを前記ヘアプレートの連結部に装填することによって、全体的に上記構造のヘアプレートを有するヘアクリップとすることもできる。
【０００８】
その際に用いる本発明によるヘアプレートは、表面に梨地処理が施され、且つ上部が上縁に沿って膨出した方形状のプレート、又は中央部が上縁に沿って凹んだ方形状のプレートであって、各々の摘み部に対する加圧・緩圧操作を以って各々の作用部が閉じる方向へ付勢されて開閉可能となる様に連結された挟持ブレード及びヘアブレードを備えたヘアクリップを、そのヘアブレードの挿入により一体的に保持する連結部を備えたことを特徴とする。
【０００９】
上記構成において前記挟持ブレードの配置位置としては、当該ヘアクリップを髪束の根元に装着しても当該髪束の硬直性によって当該ヘアクリップが差し上げられない様に当該髪束を拘束し得る前記ヘアプレートの上縁からの最寄の位置、即ち、前記ヘアプレートにおける上縁より約３ｍｍから当該ヘアプレートの幅の約１／３程度下の裏面に当該ヘアプレートの上縁に沿って配置することが望ましい。
【発明の効果】
【００１０】
本発明によるヘアクリップを使用すれば、ヘアアイロン等を用いて髪に何らかの変形を加える際に、近隣の頭髪が隣接する髪束として何度も髪束としてとられ、重ねて処理が行われたり、隣接する髪束の境目に髪束として取られない頭髪が未処理のまま残ったりすることが防止され、髪の状況に応じたアイロン操作を適当な時間をかけて行うことが可能となってより質の高いヘアスタイリングが可能となる他、所要時間の短縮化にも寄与する。
【発明を実施するための最良の形態】
【００１１】
以下、本発明によるヘアクリップの実施の形態を図面に基づき説明する。
図１に示す例は、本発明によるヘアクリップの第一の実施の形態であって、ヘアプレート２と挟持ブレード１を、各々の端部に設けられた開閉の支点となる軸承部７に、支軸８を貫通させることにより連結し、当該支軸８に通したツルマキバネ９の両端を各々の摘み部１０，１１の内側に固定することによって、前記ツルマキバネ９がその螺旋方向への復元力を以って、両者の摘み部分を外側へ押し開くと共に、前記軸承部７を挟んで反対側に存在する両者の挟持部１２，１３が閉じる方向へ付勢され、前記摘み部１０，１１に対する加圧・緩圧操作を以って相互に開閉自在となるように軸支したものである。
【００１２】
前記ヘアプレート２は、幅広で短い長方形の帯状（方形状）に成形されている。その表面の全域には梨地処理が施され、当該ヘアクリップ１４に挟まれた髪束より上位に存在する髪が当該ヘアプレート２の上に載った際において、当該ヘアプレート２の表面に対する過度の滑りが防止されると共に、当該ヘアプレート２の表面への密着が抑制される。その結果、当該ヘアプレート２の表面に載っている頭髪を更にコームやヘアクリップ等で束ねとる際にも、その柄やブレードにより余す事無く容易にすくい取ることが出来る。
【００１３】
また、当該ヘアプレート２は、その中央部が上縁（前記挟持ブレードの長手方向に沿って）凹んだ板状、或いは当該中央部から下位が上縁（前記挟持ブレードの長手方向に沿って）凹んだ板状（当該ヘアプレート２の上部が前記挟持ブレードに沿って膨出した板状）を呈し、当該ヘアプレート２の上部に載った頭髪を、その中央部以下においてはヘアプレート２の表面から浮かせる作用を奏する。尚、当該凹みは、ヘアプレート２の全長に亘って設けても良いが、少なくとも前記挟持ブレード１の作用部の長さ分に設けてあれば良い。
【００１４】
当該ヘアプレート２の裏面にあっては、少なくとも前記挟持ブレード１と向き合う挟持部１２が、頭部表面のカーブに倣った緩い湾曲を持つことが望ましいが平坦であっても差し支えない。一方、表面は、逆に頭部表面のカーブに倣った湾曲を与えない方が、長手方向の端部において頭髪をプレート表面から溢さない点で望ましいが、多少湾曲を伴っていても良い。また、装着時において頭皮や頭髪を傷つけない様に、面取りや研磨等、曲線的なエッジ処理並びに表面処理を施すことも望ましい。
【００１５】
当該ヘアプレート２にあっては、その軸承部７を境にして短い側の端部が前記摘み部１０となる。当該摘み部１０は、前記挟持ブレード１の摘み部１１と共に加圧・緩圧操作を受けた際に滑ることが無いように、前記梨地処理等の滑り止めを施したり、表面に対して上向きに反り上げる等の処理を施すことが望ましい。
【００１６】
一方、前記挟持ブレード１は、当該ヘアプレート２における上部の裏面に配置され、その挟持部１３は、髪をすくい上げ易い様に先細りではあるが、前記頭部表面のカーブに倣った湾曲を持つことが望ましい、且つ前記ヘアプレート２と同様に、装着時において頭皮や頭髪を傷つけない様に、面取りや研磨等、曲線的なエッジ処理並びに表面処理が施されることも望ましい。尚、当該挟持ブレード１の摘み部１１は、当該挟持ブレード１の軸承部７に対して前記挟持部１３とは反対側に延出する形で形成される。
【００１７】
前記ヘアプレート２の挟持部１２は、前記ヘアプレート２における上縁より約３ｍｍから当該ヘアプレートの幅の１／３（最低３ｍｍ程度であって最高でも当該ヘアプレート２の幅の約１／３）程度下の裏面に設定され、前記軸承部７はその端部に形成されている。前記挟持ブレード１と軸承部７が、前記挟持部１３の長手方向に対して垂直な支軸８を以って連結されることにより、当該挟持ブレード１の挟持部１３が前記ヘアプレート２における上縁より約３ｍｍから当該ヘアプレート２の幅の約１／３程度下の裏面に当該ヘアプレート２の上縁に沿って配置されることとなる。当該位置は、当該ヘアクリップ１４を髪束の根元に装着しても当該髪束の硬直性によって当該ヘアクリップ１４が差し上げられない様に当該髪束を拘束し得ると言う条件を満たす、前記ヘアプレート２の上縁からの最寄の位置であって、且つ拘束した頭髪の根元に揺れが生じず、ヘアプレート２自体の姿勢も安定する位置となる。
【００１８】
尚、上記ヘアプレート２及び挟持ブレード１は、パーマ液等の薬剤で変質することがなく、頭髪との接触によっても静電気が発生しない導電性樹脂や金属等の素材を選択することが望ましい。また、両挟持部１２，１３を付勢する手段は、上記ツルマキバネ９に特定するものではなく、金属、樹脂、或いはゴム等の持つ弾性を適宜利用したもの等、適宜選択可能である。当該ヘアプレート２の表面に施される梨地処理は、例えば、裁縫に用いられる太さの糸や繊維を以って織製した生地を表面にインサートして成形した際に生じる織り目パターンの様な先鋭なエッジの有さない無数の突起等、表面デザインも考慮に入れて適宜選択することが出来る。
【００１９】
図２に示す例は、本発明によるヘアクリップの第二の実施の形態であって、上記第一の実施の形態でのヘアプレート２の挟持部１２の端部に軸承部７を形成する構造に替えて、当該挟持部１２の位置に、他のヘアクリップ（例えば、図３において頭部の上位に装着された比較的細身のヘアクリップ参照。）６を装着する為の連結部４を設けた構造を採り、当該連結部４に前記他のヘアクリップ６を装着することによって本発明によるヘアクリップ１６としたものである。
【００２０】
当該例における前記連結部４は、例えば、上記第一の実施の形態の様にヘアプレートに膨出部を設けたことでその裏面に形成された凹部、或いは、ヘアプレートの中央部に凹部を設けることによってその上部に形成される空隙を、前記他のヘアクリップ６のヘアブレード３が装填される空隙として用い、その装填状態を維持する為の支持フレーム１５を当該凹部又は空隙に渡し掛ける形で固定することによって形成する。
【００２１】
一般的に上記他のヘアクリップ６となる既存のヘアクリップは、合成樹脂又はアルミ合金等の金属で形成され、且つ形状的には頭部のカーブに倣って湾曲していることから、当該ヘアブレード３は、少なからず弾性を有している。当該他のヘアクリップ６のヘアブレード３と挟持ブレード１９で前記支持フレーム１５を挟む状態で、当該ヘアブレード３を前記空隙に装填すれば、当該ヘアブレード３が、前記ヘアプレート５と前記支持フレーム１５とで挟持され、調髪又は整髪作業に支障が無い状態で前記ヘアプレート５と当該他のヘアクリップ６とが一体化する。
【００２２】
前記連結部４としては、上記形態以外にも、エラストマ等のゴム状弾性素材に前記ヘアブレードを装填保持できる程度の装着穴を設けた連結手段（図示省略）を前記ヘアプレート２の裏面に固着し、当該連結手段の穴によって前記ヘアプレート５と一体化すべき他のヘアクリップ６のヘアブレード３を挟持させる構成を採っても良い。
【００２３】
上記ヘアプレート５の前記連結部４を除くその他の構造は、前記第一の実施の形態と同様な構造を採用すれば良い。
【００２４】
以下、上記本発明によるヘアクリップ１４，１６を用いた整髪の実施態様例を、ヘアアイロン１７を用いた処置を例に挙げ図３に基づき説明する。
当該ヘアアイロン１７の様に頭髪に対して言っての処置を施す場合、先ず、既存のヘアクリップ１８を以ってこれから処置を施す頭髪を頭頂部に髪束として保持する。当該髪束の頭部の下位に位置する髪から順に適量ずつ小さい髪束として取り出し、当該小さい髪束にヘアアイロン１７を当て、当該処理を終えた髪束に本発明によるヘアクリップ１４（１６）を装着し頭頂部に設けられた髪束の下に垂らす（図３（ａ））。
【００２５】
上記処置は、最初に頭頂部に保持された頭髪全ての処置が終了するまで続けられ、その間、上記の如く垂らされた髪に装着されたヘアクリップ１４（１６）のヘアプレート２（５）の表面で、頭頂部の髪束から取り出された次に処置を行うに適量の髪を受け、残る髪を束ねて更に頭頂部に保持する作業が伴う（図３（ｂ）（ｅ））。従来のヘアクリップであれば、この際に処理を終えた頭髪と未処理の頭髪とが紛れることとなるが、上記ヘアプレート２（５）の存在で両者は明確に且つ容易に分別され、コームの柄を以って髪を逃がす事無く容易にすくい上げ、ヘアアイロン１７を当てることができることとなる（図３（ｃ）（ｆ））。
【００２６】
而して、近隣の毛髪が隣接する髪束として何度も髪束としてとられ、重ねて処理が行われたり、隣接する髪束の境目に髪束として取られない毛髪が遣り残しとして残ったりすることは回避され、髪の状況に応じたヘアアイロン１７の操作を適当な時間をかけて行うことが可能となることで、髪が痛むと言ったヘアスタイリング上不具合や、所要時間の冗長化と言う問題が解決できる。
【００２７】
更に、長い髪に対して上記の様な処置を施す場合にあっては、頭頂部に従来のヘアクリップ１８で髪を束ねたとしても、頭部の処置を行っている領域にまで保持された髪の先端部が垂れ下がり、作業の障害となることも少なくない。そこで、図４の如く、本発明によるヘアクリップ１４（１６）を用い、そのヘアプレート２（５）で長い髪を支持すれば、上記髪の先端部の垂れ下がりに因る障害も大きく軽減できることとなる。
【産業上の利用可能性】
【００２８】
本発明によるヘアクリップを使用すれば、調髪又は整髪における種々の場面において有効に利用でき、作業時間の短縮化、並びに作業の質の向上に寄与する。
【図面の簡単な説明】
【００２９】
【図１】本発明によるヘアクリップの一例を示す（Ａ）：端面図、（Ｂ）:平面図、（Ｃ）：端面図、（Ｄ）：側面図である。
【図２】本発明によるヘアクリップの一例を示す（Ａ）：端面図、（Ｂ）:平面図、（Ｃ）：端面図、（Ｄ）：側面図、（Ｅ）：縦断面図である。
【図３】本発明によるヘアクリップの実施態様の一例を示す作業行程図である。
【図４】本発明によるヘアクリップの実施態様の一例を示す一行程図である。
【符号の説明】
【００３０】
１  挟持ブレード，２  ヘアプレート，
３  ヘアブレード，４  連結部，５  ヘアプレート，
６  ヘアクリップ，
７  軸承部，８  支軸，９  ツルマキバネ，
１０  摘み部，１１  摘み部，１２  挟持部，１３  挟持部，１４  ヘアクリップ，
１５  支持フレーム，１６  ヘアクリップ，
１７  ヘアアイロン，１８  ヘアクリップ，
１９  挟持ブレード，２０  摘み部，２１  摘み部，
【図１】
2006288493.tif 000003
【図２】
2006288493.tif 000004
【図３】
2006288493.tif 000005
【図４】
2006288493.tif 000006